(57)【要約】【課題】  ラッチを枠体に嵌め込む必要がなく、また安全性にも優れた折戸を提供すること。【解決手段】  隣接する二枚のパネル１１、２１を回動自在に連結する連結体４１、４３と、二枚のパネル１１、２１のそれぞれに取り付けて噛み合いを維持する一対の歯車１８、２８と、パネル２１と連結体４１を回動不能に拘束可能なラッチ５１と、折戸を開く際に操作するノブ３２、３６と、その動作をラッチ５１に伝達する主ワイヤ６１と、で折戸を構成して、連結体４１には、ラッチ５１が嵌まり込む受入穴４７を設ける。これにより枠体には、ラッチ５１を嵌め込む必要がなくなる。そしてノブ３２、３６をパネル２１の表裏面に配置して、それらはパネル２１から遠ざかる方向にのみ変位可能とする。これにより表裏面いずれにおいても、通行者はパネル２１を手前側に引き寄せて折戸を開くことになり、安全性に優れる。【選択図】      図１
2014105485.tif 000002
【特許請求の範囲】
【請求項１】
二枚のパネル（１１、２１）の側端面同士が隣接し且つ両パネル（１１、２１）が回動自在に連結している折戸であって、
隣接する前記二枚のパネル（１１、２１）の境界を跨ぐように配置して、それぞれの前記パネル（１１、２１）に対して回動自在に取り付ける連結体（４１、４２、４３）と、
隣接する前記二枚のパネル（１１、２１）のそれぞれに取り付け、噛み合いを維持する一対の歯車（１８、２８）と、
前記パネル（２１）と前記連結体（４１、４２）を回動不能に拘束可能なラッチ（５１、５２）と、
折戸を開く際に操作されるノブ（３２、３６）と、
該ノブ（３２、３６）の動作を前記ラッチ（５１、５２）に伝達する伝達手段（６１）と、
を備え、
前記連結体（４１）または前記パネル（２１）のいずれか一方には、凹状の受入穴（４７、２７）を設け、さらに前記ラッチ（５１、５２）には、該受入穴（４７、２７）に嵌まり込む突入片（５７）を設け、
該突入片（５７）が前記受入穴（４７、２７）に嵌まり込むことで、前記パネル（２１）と前記連結体（４１、４２）は回動不能になり、
前記伝達手段（６１）により、前記突入片（５７）が前記受入穴（４７、２７）から引き抜かれることで、前記パネル（２１）と前記連結体（４１、４２）は回動可能になることを特徴とする折戸。
【請求項２】
前記ノブ（３２、３６）は、前記パネル（２１）の表面と裏面の両方に配置してあり、且ついずれとも手前側に引き寄せる方向に変位することを特徴とする請求項１記載の折戸。
【請求項３】
前記ノブ（３２、３６）には、前記パネル（２１）に形成した掛け穴（３８）に嵌まり込む副ラッチ（７８）を設け、該副ラッチ（７８）が該掛け穴（３８）から引き抜かれることで、該ノブ（３２、３６）が変位可能となることを特徴とする請求項２記載の折戸。
【発明の詳細な説明】
【技術分野】
【０００１】
本発明は、複数のパネルを回動自在に連結した折戸に関する。
【背景技術】
【０００２】
折戸は、二枚以上のパネルを回動自在に連結したもので、戸袋が不要で、しかも開閉に要する空間が開き戸より狭いなど、様々な利点があり、車両の乗降口やユニットバスの出入口などで使用されている。折戸が二枚のパネルで構成される場合、一方のパネルは、戸の外縁を囲む枠体に対して回動自在に取り付けられ、他方のパネルは、枠体に沿って延びるガイドで移動が規制される。そのため戸を開閉する際、二枚のパネルを上から見ると、二等辺三角形を維持しながら移動していく。そして戸が完全に開いた際は、二枚のパネルが重なり、枠体から直角に突出する。
【０００３】
戸は、必要に応じて、閉じた状態や開いた状態を維持できることが好ましい。そのため折戸についても、パネルの移動を規制する機能を持たせることが多い。具体例としては、エアシリンダなどでパネルを一方向に押し付けるものや、パネルと枠体を貫通するようにラッチを差し込むものなどが挙げられる。ラッチはノブと連動しており、ノブを操作することでラッチが引き抜かれ、パネルが自在に移動できるようになる。
【０００４】
折戸に関しては、後記特許文献などのように、様々な技術開発が進められている。特許文献１では、折戸を外側から開く際、内側にいる人への安全性を向上させたラッチ付引き手が開示されている。この折戸の引き手は、係合ラッチと連動しており、引き手を操作すると係合ラッチが移動して、扉を自在に開くことができる。しかし人感センサにより、内側に人がいることを検知した場合、係合ラッチの移動を規制して、外側から扉を開くことができない。
【０００５】
特許文献２では、折戸を構成する扉体が閉鎖する際、扉体を素早く静止できる折戸装置が開示されている。この折戸装置は、戸先側と戸尻側の二枚の扉体と、これらを囲む不動部位と、からなり、不動部位には、扉体のガイドとなる移動支持部を設けてあり、さらに移動支持部と戸先側扉体との間には、凹凸係合手段を組み込んである。扉体が完全に閉鎖した瞬間、凹凸係合手段が嵌まり込むことで、扉体は、振り子状に揺れることなく、素早く不動部位と一体化する。
【先行技術文献】
【特許文献】
【０００６】
【特許文献１】特開２０００−３５６０６２号公報
【特許文献２】特開２００９−２８０９９６号公報
【発明の概要】
【発明が解決しようとする課題】
【０００７】
折戸を閉じた状態に維持するため、パネルにラッチを組み込む場合、パネルを囲む枠体には、ラッチが嵌まり込む溝や穴などを設ける。そのため枠体の構成や材質などを自由に選択することは難しく、需要者が望むデザインの折戸を提供できない恐れがある。この点を解消するには、ラッチの構造を根本的に見直す必要がある。
【０００８】
閉じている折戸を開くには、パネルを手前側に引き寄せるか、あるいは奥側に押し込む必要がある。仮にパネルを手前側に引き寄せる場合、当人はパネルの挙動を把握できるため、パネルと接触する可能性は極めて低く、安全性に問題はない。しかしパネルを奥側に押し込む場合、偶然にも反対側に人が居合わせると、その人は不意に飛び出してくるパネルと接触する恐れがあるほか、接触を回避しようとして転倒する恐れもある。この点は、パネルに透光性を持たせることで解決可能だが、それでも死角が残るなど万全の対策ではない。またパネルを奥側に押し込むことで、二枚のパネルの間に指などを挟む恐れもある。したがって安全性を考慮すると、折戸を開く際は、パネルを手前側に引き寄せることが好ましい。
【０００９】
本発明はこうした実情を基に開発されたもので、ラッチを枠体に嵌め込む必要がなく、また安全性にも優れた折戸の提供を目的としている。
【課題を解決するための手段】
【００１０】
前記の課題を解決するための請求項１記載の発明は、二枚のパネルの側端面同士が隣接し且つ両パネルが回動自在に連結している折戸であって、隣接する前記二枚のパネルの境界を跨ぐように配置して、それぞれの前記パネルに対して回動自在に取り付ける連結体と、隣接する前記二枚のパネルのそれぞれに取り付け、噛み合いを維持する一対の歯車と、前記パネルと前記連結体を回動不能に拘束可能なラッチと、折戸を開く際に操作されるノブと、該ノブの動作を前記ラッチに伝達する伝達手段と、を備え、前記連結体または前記パネルのいずれか一方には、凹状の受入穴を設け、さらに前記ラッチには、該受入穴に嵌まり込む突入片を設け、該突入片が前記受入穴に嵌まり込むことで、前記パネルと前記連結体は回動不能になり、前記伝達手段により、前記突入片が前記受入穴から引き抜かれることで、前記パネルと前記連結体は回動可能になることを特徴とする折戸である。
【００１１】
本発明による折戸は、直立したパネルを複数並べた構成で、隣接するパネルの側端面同士がわずかな隙間を隔てて平行に並んでおり、且つ隣接するパネルは、回動自在に連結される。なおパネルは、三枚以上連結することもできる。また従来の折戸と同様、全てのパネルは、鴨居などで構成される枠体の中を塞ぐように取り付けられる。そして端寄りの一枚のパネルは、枠体に対して回動自在に取り付けられ、さらに残りのパネルは、枠体から離脱しないよう、ガイドで移動範囲が規制される。そのため戸の開閉時、各パネルは一定の軌跡を描く。
【００１２】
連結体は、隣接する二枚のパネルを回動自在に連結するためのもので、隣接する二枚のパネルの境界を跨ぐように配置して、さらにそれぞれのパネルに対して回動自在に取り付ける。連結体を用いることで、二枚のパネルの隙間は一定に維持され、且つ一方のパネルは、他方のパネルの周囲を自在に回動可能となる。なお個々のパネルには、連結体を回動自在に取り付けるための中心軸を組み込む。この計二列の中心軸は、パネル側端面の長手方向と平行に揃える。
【００１３】
連結体を介して二枚のパネルが連結されると、個々のパネルは、二列の中心軸を中心として左右両方向に回動できる。そのため折戸が閉じている際、パネルは手前側と奥側の両方向に開くことができる。なお連結体は、二枚のパネルを連結する重要な役割を担い、さらにパネルに作用する垂直荷重を受け止めるため、一定の強度が必要で、パネルの上下二箇所に同心で配置することが多い。
【００１４】
歯車は、二枚のパネルの回動を同期させるために用い、噛み合う一対の歯車のうち一方は、一方のパネルに取り付け、他方の歯車は、他方のパネルに取り付け、二枚のパネルの境界で両歯車が噛み合う。当然ながら個々の歯車は、直径を揃えた上、連結体の中心軸と同心に揃え、且つパネルとは回動不能に取り付ける。このように一対の歯車を用いることで、二枚のパネルの挙動が規制され、一方のパネルと連結体を回動不能に固定すると、他方のパネルも連動して回動不能になる。なお歯車は、パネルの境界に一組だけ配置することもできるが、連結体と同様、上下に二組配置することが多い。
【００１５】
ラッチは、パネルと連結体を回動不能に固定して、折戸が閉じた状態を維持するために用い、パネルと連結体を貫通するように差し込まれる。さらにラッチは、連結される複数のパネルのうち、いずれか一枚の中に組み込まれ、且つパネルの中で一定の方向に変位可能とする。そして突入片と受入穴は、パネルと連結体を回動不能とする機能を実現する部位で、突入片は、ラッチの先端部分などに設けて、受入穴は、突入片と対向する位置に設ける。突入片が受入穴に嵌まり込むことで、ラッチがパネルと連結体のいずれにも接触して、双方を回動不能に固定する。
【００１６】
受入穴は、連結体の表面を削った凹状である。ただしこれとは逆に、連結体の内部にラッチを収容して、パネルの方に受入穴を設けることもできる。なお隣接する二枚のパネルは、歯車で連動しており、一枚のパネルと連結体との回動を規制できれば、必然的に二枚のパネルが回動不能となる。そのためラッチは、二枚のパネルの境界において、いずれか一方のパネルだけに組み込めばよい。
【００１７】
突入片と受入穴の形状は、自在に決めることができるが、パネルが一直線に並ぶ直前の段階で、突入片が受入穴に嵌まり込むよう、双方をテーパー状にすることが多い。また受入穴は、突入片を確実に嵌め込むことができ、且つパネルと連結体を回動不能にできるならば、全周が閉じた穴ではなく、溝状でも構わない。そのほか、閉じたパネルの微動を防止するため、ラッチは緩みなく内部に組み込む必要がある。
【００１８】
伝達手段は、ノブの操作をラッチに伝達するためのもので、ワイヤや金属棒などを用いる。ノブを操作していない場合、突入片は、バネなどの弾性体によって受入穴に嵌まり込み、折戸を開くことができない。しかしノブを操作することで、突入片は受入穴から引き抜かれ、折戸を開くことができる。なお、ノブにスイッチを組み込み、ラッチをソレノイドやモーターで駆動するならば、伝達手段は電気回路となる。
【００１９】
折戸が完全に開いた際、隣接するパネルは折り重なり、双方の面同士が密着する。そのため、ノブがパネルから飛び出していると、隣接するパネルと干渉して十分な開口幅を得られない。この問題を解消するためノブは、パネルの表面に埋め込むことが好ましい。ただしノブの埋め込みが難しい場合、ノブと対向するパネルの表面を部分的に陥没させる。
【００２０】
このようにラッチは、パネルと連結体を貫通するように差し込む構造とすることで、パネルを囲む枠体には、ラッチを嵌め込むための穴や溝などを設ける必要がない。そのため枠体の構成や材質などを自由に選択できる。
【００２１】
請求項２記載の発明は、折戸の表裏面いずれにおいても、パネルを手前側に引き寄せて開く構造とするためのもので、ノブは、パネルの表面と裏面の両方に配置してあり、且ついずれとも手前側に引き寄せる方向に変位することを特徴とする。このノブは、パネルの表面と裏面の両方に配置するため、両面から折戸を開くことができる。なお「表面」と「裏面」は、パネルの最も広い二面を識別するために規定したもので、「表面」と「裏面」で構造などに差がある訳ではない。
【００２２】
さらにこのノブは、ヒンジ式の自動車ドア（外側のもの）と同様、手前側に引き寄せる方向（パネルから遠ざかる方向）にのみ変位可能とする。そのため折戸を開く際は、パネルの表面と裏面のいずれについても、ノブを引き寄せて、パネルを手前側に突出させることになる。
【００２３】
実際にノブを操作した際は、まず突入片が受入穴から引き抜かれて、二枚のパネルが自在に回動できるようになり、さらに操作を続けることでパネルが手前側に開いていく。なおノブを手前側に引き寄せた後、意図的に反対方向に押し込むと、ラッチが変位して再び突入片が受入穴に嵌まり込み、パネルを奥側に開くことはできない。
【００２４】
請求項３記載の発明は、折戸を閉じる際の操作を円滑にするためのもので、ノブには、パネルに形成した掛け穴に嵌まり込む副ラッチを設け、副ラッチが掛け穴から引き抜かれることで、ノブが変位可能となることを特徴とする。折戸を閉じる際、操作者の位置によっては、ノブを手前側に引き寄せることがある。ところがノブを手前側に引き寄せると、内部の伝達手段を介してラッチが後退してしまい、二枚のパネルが一直線に並んだ時点でも、ラッチが本来の機能を発揮できず、パネルの静止にやや時間を要することがある。
【００２５】
本発明はこの事態に対応したもので、ノブに副ラッチを設けて、またパネルには、副ラッチが嵌まり込む掛け穴を形成して、掛け穴から副ラッチを引き抜くことで、初めてノブを手前側に引き寄せることのできる構造としている。副ラッチを設けることで、通常、ノブはパネルと一体化しており、単純にノブを手前側に引き寄せても、ノブだけが変位することはなく、ラッチが後退することもない。そのため折戸を閉じる際、二枚のパネルが一直線に並ぶと直ちにラッチが機能して、パネルは素早く静止する。なお折戸を開く際は、ノブの引き寄せに先立ち、副ラッチを掛け穴から引き抜く操作を行う。そのほか副ラッチの具体的な構成は自在だが、折戸を開く際の操作を円滑に実施できるよう配慮する。
【発明の効果】
【００２６】
請求項１記載の発明のように、折戸を構成する二枚のパネルを連結体と歯車で連結した上、ラッチをパネルと連結体との間で作用させることで、パネルを囲む枠体には、ラッチを嵌め込むための穴や溝などを設ける必要がない。そのため枠体の構成や材質などは、自由に選択でき、需要者が望むデザインの折戸を提供できる。またラッチ全体をパネルや連結体の内部に収容することで、その存在を覆い隠すことができ、折戸の美感を向上できる。
【００２７】
請求項２記載の発明のように、パネルの表面と裏面の両方にノブを配置して、両ノブとも、手前側に引き寄せる方向にのみ変位可能とすることで、パネルの表裏面いずれにおいても、通行者は、パネルを奥側に押し込むことができない。そのため通行者から見て、折戸の反対側に別の人が居合わせた場合でも、その人とパネルが接触することを防止でき、安全性に優れている。
【００２８】
請求項３記載の発明のように、ノブに副ラッチを設けることで、通常、ノブはパネルと一体化している。そのため折戸を閉じる際、ノブを手前側に引き寄せた場合でも、ラッチの後退を防止でき、二枚のパネルが一直線に並ぶと直ちにラッチが機能して、パネルを素早く静止させることができる。
【図面の簡単な説明】
【００２９】
【図１】本発明による折戸の構成例を示す斜視図で、図の上方は折戸全体を描いており、図の下方は下部中央の詳細を描いている。
【図２】図１のラッチと連結体の詳細を示す斜視図と縦断面図である。
【図３】図１に描いた折戸の下部中央の構成要素を示す斜視図である。
【図４】図１に描いた折戸の上部中央の構成要素を示す斜視図である。
【図５】図１に描いた折戸の中央内部を示す斜視図で、突入片は受入穴に嵌まり込んでいる。
【図６】図５と同様、折戸の中央内部を示す斜視図だが、突入片は受入穴から引き抜かれている。
【図７】図６の右側のパネルを奥側に押し込み、二枚のパネルが重なった状態の斜視図で、ラッチが組み込まれたパネルが手前側に位置している。
【図８】図７とは逆に、右側のパネルを手前側に引き寄せ、二枚のパネルが重なった状態の斜視図で、ラッチが組み込まれたパネルが奥側に位置している。
【図９】図１で描いたノブ周辺の詳細を示す斜視図である。
【図１０】ノブと主ワイヤとの接続構造を示す斜視図である。
【図１１】図１の折戸を拡大した斜視図で、左右二枚のパネルが一直線に並んでいる。
【図１２】図１１の表面側のノブを引き寄せて折戸を開いた状態の斜視図である。
【図１３】図１２とは逆に、裏面側のノブを引き寄せて折戸を開いた状態の斜視図である。
【図１４】ラッチの大半を連結体に埋め込み、パネルに受入穴を設けた構成を示す斜視図である。
【図１５】図１４の各要素を組み上げた状態の斜視図で、図の上方はラッチが引き抜かれており、図の下方はラッチが下降している。
【図１６】図１３のように折戸が開いた後、徐々に折戸を閉じていき、完全に閉じる直前の状態の斜視図である。
【図１７】ノブに副ラッチを組み込み、単にノブを手前側に引き寄せただけでは、副ワイヤを引き出すことができない構成を示す斜視図である。
【図１８】図１７のノブがパネルに組み込まれた状態の斜視図で、図の上方はノブがパネルに埋め込まれており、図の下方はノブがパネルから飛び出している。
【発明を実施するための形態】
【００３０】
図１は、本発明による折戸の構成例を示しており、図の上方は折戸全体で、図の下方は下部中央の詳細である。この折戸は図のように、直立する左右二枚のパネル１１、２１が一直線に並び、その上に直線状のガイド６４を配置してある。なおガイド６４は、折戸を囲む枠体（図示は省略）に固定されている。そして右側のパネル１１の上面右端には、支点１４が突出しており、その先端がガイド６４に差し込まれている。支点１４は、ガイド６４に対して回動自在で、右側のパネル１１の回動中心となる。また左側のパネル２１の上面左端には、従動軸２４が突出している。従動軸２４は、ガイド６４の中に差し込まれ、その長手方向にのみ移動できる。そのため支点１４と従動軸２４は、ガイド６４から離れることができず、二枚のパネル１１、２１の境界部分がガイド６４から突出する。
【００３１】
二枚のパネル１１、２１は、上下の連結体４１、４３を介して連結されている。連結体４１、４３は、中央がくびれた「８」の字状で、パネル１１、２１の境界を跨ぐように差し込まれる。連結体４１、４３を差し込むため、パネル１１、２１の側端面には、側溝１２、２２、１３、２３を形成してある。側溝１２、２２、１３、２３の高さは、連結体４１、４３の厚さと等しく、左右のパネル１１、２１で段差が生じることを防止しているほか、垂直荷重の伝達を担う。またパネル１１、２１の境界の上下両面には、噛み合いを維持する一対の歯車１８、２８を取り付けてある。
【００３２】
左側のパネル２１の表面と裏面の両方には、折戸を開く際に操作するノブ３２、３６を組み込んである。ノブ３２、３６は通常、パネル２１に埋め込まれているが、操作する際は、手前側に引き寄せる。またノブ３２、３６の背後に指を差し入れるため、ノブ３２、３６の周辺には、パネル２１をくり抜いた凹部３１、３５を設けてある。凹部３１、３５は、パネル２１の表面と裏面で高さを変えて、必要な奥行きを確保している。
【００３３】
二枚のパネル１１、２１の境界部分は、図の下方のような構造となっている。それぞれのパネル１１、２１には、連結体４１を貫通して上下に延びる中心軸１５、２５を差し込んであり、しかも連結体４１は、いずれの中心軸１５、２５に対しても自在に回動できる。そのため図では、二枚のパネル１１、２１が一直線に並んでいるが、これらを「く」の字状に折り曲げることもできる。また連結体４１の上下面は、パネル１１、２１に設けた側溝１２、２２の上下面と接触している。
【００３４】
二枚のパネル１１、２１の境界下面には、一対の歯車１８、２８を取り付けてある。個々の歯車１８、２８は、中心軸１５、２５と同心で、ビス６８によってパネル１１、２１と完全に一体化している。なお二列の中心軸１５、２５の距離は、連結体４１で一定に維持される。そのため二枚のパネル１１、２１の交角が変化した場合でも、一対の歯車１８、２８の噛み合いは維持される。さらに一対の歯車１８、２８は歯数を揃えてあり、折戸を開閉する際、二枚のパネル１１、２１は二等辺三角形を維持しながら変形していく。
【００３５】
左側のパネル２１の内部には、折戸を閉じた状態に維持するラッチ５１が収容されている。ラッチ５１は細長い棒状で、パイプ５４やスライダ５６や突入片５７などで構成され、その中には中心軸２５が貫通しており、上下にのみ変位できる。また連結体４１には、突入片５７を嵌め込むための受入穴４７を形成してあり、実際に突入片５７が下降して受入穴４７に嵌まり込むと、パネル２１と連結体４１が回動不能になる。なお突入片５７は、円滑に受入穴４７に嵌まり込むよう、先細り形状としてある。
【００３６】
ラッチ５１は、主ワイヤ６１とリンク６３で上下に変位する。主ワイヤ６１は、ノブ３２、３６の操作をラッチ５１に伝える伝達手段であり、いずれかのノブ３２、３６を操作すると、主ワイヤ６１が引き上げられる。またリンク６３は、パネル２１の内部に設けた支点ピン３０によって回動可能で、その中間部分に主ワイヤ６１が係止されており、さらにリンク６３の先端部分がラッチ５１と接続している。そのため主ワイヤ６１が引き上げられると、リンク６３を介して、ラッチ５１も引き上げられる。
【００３７】
折戸が閉じている際、パネル１１、２１には風圧など様々な外力が作用するが、ラッチ５１はこれらの外力に耐えて、パネル１１、２１の移動を防止する必要がある。またラッチ５１に緩みがあると、パネル１１、２１の微動を抑えることができない。そのためラッチ５１は、中心軸２５のほか、案内孔３４と案内壁２６で拘束されている。案内孔３４は、パネル２１の内部に設けた丸孔で、ラッチ５１のパイプ５４に応じた内径で、パイプ５４の半径方向の変位を規制する。対して案内壁２６は、パネル２１の内部に設けた垂直の壁面で、スライダ５６を挟むように左右に配置してあり、スライダ５６は、案内壁２６の表面を滑りながら上下に変位する。
【００３８】
弾性体６０は、案内孔３４とスライダ５６との間に挟み込まれるコイルバネで、圧縮した状態で組み込まれ、常時、ラッチ５１を押し下げる反力を発生する。そのため主ワイヤ６１を緩めると、ラッチ５１は直ちに落下して、突入片５７が連結体４１に接触する。そのほか、二枚のパネル１１、２１が対向する側端面は、中心軸１５、２５を中心とした半円形としてあり、どのような状態でも隙間は一定に維持される。
【００３９】
図２は、図１のラッチ５１と連結体４１の詳細を示している。ラッチ５１は、パイプ５４とリング５５とスライダ５６と突入片５７で構成され、パイプ５４は、中心軸２５を無理なく差し込み可能な内径で、中心軸２５に沿って上下に変位できる。またリング５５は、パイプ５４を無理なく差し込み可能な内径で、パイプ５４に沿って上下に変位できるほか、パイプ５４に対して回転することもできる。さらにリング５５の外周面には、図１のリンク６３と接続するため、丸棒状の接続ピン５９が突出している。なおパイプ５４の上端には、リング５５の抜け出しを防止するツバ５８を設けてある。
【００４０】
スライダ５６は直方体状だが、パイプ５４を差し込むため、中心に孔を設けてある。また突入片５７は、中央がくびれて且つ先端をやや先細りにした形状で、さらに中心軸２５を無理なく差し込めるよう、中心に孔を設けてある。このラッチ５１を組み立てる際は、まずリング５５の中にパイプ５４を差し込み、次にスライダ５６の中にパイプ５４の下端部を差し込み、最後にパイプ５４の下端面を突入片５７の上面に接触させる。そしてパイプ５４とスライダ５６と突入片５７を接着などで完全に一体化する。
【００４１】
連結体４１は、二枚のパネル１１、２１の境界を跨ぐように配置され、二つの曲面からなる「８」の字状で、それぞれの曲面は、パネル１１、２１の側端面と同心になっている。また連結体４１には、中心軸１５、２５を差し込むための中孔４５を二箇所に設けてある。中孔４５は、中心軸１５、２５の回動を規制しない内径とするが、緩みを生じてはならない。さらに突入片５７を嵌め込むため、連結体４１の上面には、受入穴４７を形成してある。受入穴４７は、突入片５７に対応して中央がくびれているほか、奥に向かうに連れて先細りとしてある。
【００４２】
中孔４５に差し込まれた二列の中心軸１５、２５は、一定の距離を維持する。また中心軸２５に差し込まれたラッチ５１は、上下に変位できる。そしてラッチ５１が下降すると、突入片５７が受入穴４７に嵌まり込み、以降、ラッチ５１と連結体４１は、中心軸２５に対して一体で回動する。なお、突入片５７と受入穴４７の双方を先細りとすることで、突入片５７の下面と連結体４１の上面が同一高さに揃った際、双方にはある程度の隙間がある。そのため二枚のパネル１１、２１が一直線に並ぶ直前、突入片５７は受入穴４７に嵌まり込み、その後、突入片５７が受入穴４７の奥に達することで、二枚のパネル１１、２１が自然に一直線に並ぶ。
【００４３】
図３は、図１に描いた折戸の下部中央の構成要素を示している。二枚のパネル１１、２１には、連結体４１を差し込むための側溝１２、２２を設けてあり、さらに中心軸１５、２５を差し込むため、軸孔１９、２９を設けてある。中心軸１５、２５は、パネル１１、２１の上下を貫通しており、その両端にナット６５を螺合してパネル１１、２１に固定され、連結体４１や歯車１８、２８の回転中心としての機能を担う。また歯車１８、２８は、ビス６８でパネル１１、２１に取り付ける。
【００４４】
ラッチ５１のリング５５は、案内孔３４の上に配置する。また弾性体６０は、案内孔３４とスライダ５６との間に挟み込む。そのためラッチ５１は、決められた手順でパネル２１の中に組み込む。そしてラッチ５１に中心軸２５を差し込み、さらにリンク６３の右端を接続ピン５９に差し込むことで、ラッチ５１は、リンク６３によって上下に変位する。なおリンク６３の左端は、パネル２１内部の支点ピン３０に差し込まれているほか、リンク６３の中間部分には、主ワイヤ６１が係止されており、ラッチ５１を引き上げることができる。
【００４５】
図４は、図１に描いた折戸の上部中央の構成要素を示している。折戸の上部についても、左右のパネル１１、２１を跨ぐように連結体４３を配置して、さらに一対の歯車１８、２８をビス６８で取り付けている点は、下部と同じである。また中心軸１５、２５は、パネル１１、２１の上下を貫通しているため、連結体４３や歯車１８、２８は、下部と同心になっている。そのほか二枚のパネル１１、２１には、連結体４３を差し込むための側溝１３、２３を設けてあり、その上下には、中心軸１５、２５を差し込むための軸孔１９、２９を設けてある。なお折戸の上部にはラッチ５１が存在しない。そのため連結体４３は、単純な「８」の字状で、その上下面は単純な平面である。
【００４６】
図５は、図１に描いた折戸の中央内部を示し、突入片５７は受入穴４７に嵌まり込んでいる。なおパネル１１、２１の上端部と下端部との間は、形状に変化がないため、作図を省略している。中心軸１５、２５は、パネル１１、２１の軸孔１９、２９に差し込まれており、さらに連結体４１、４３や歯車１８、２８を貫通している。そして中心軸１５、２５の両端部には、歯車１８、２８を挟み込むようにナット６５を螺合してあり、パネル１１、２１と中心軸１５、２５は一体化している。
【００４７】
連結体４１、４３は、上下とも二列の中心軸１５、２５が差し込まれており、個々の中心軸１５、２５を中心として自在に回動できる。また連結体４１、４３は、パネル１１、２１の側端面に設けた側溝１２、２２、１３、２３に隙間なく差し込まれ、左右のパネル１１、２１に段差が生じることはなく、歯車１８、２８は円滑な噛み合いを維持する。そしてこの図では、主ワイヤ６１が緩んでおり、リンク６３は、支点ピン３０から垂れ下がり、連動するラッチ５１も、弾性体６０の反力で下降している。そのため突入片５７は、受入穴４７に嵌まり込んでいる。
【００４８】
突入片５７が受入穴４７に嵌まり込むことで、中心軸２５を中心として連結体４１を回動させた場合、ラッチ５１も一体で回動しようとする。その際、ラッチ５１のスライダ５６は、左右の案内壁２６に挟み込まれており、左側のパネル２１は、連結体４１と一体で回動する。このように、突入片５７が受入穴４７に嵌まり込むことで、パネル２１と連結体４１が一体化する。さらに一対の歯車１８、２８が噛み合っており、右側のパネル１１も連結体４１に対して回動できない。そのため二枚のパネル１１、２１は、外力を受けた場合でも、それに対抗して一直線に並んだ状態を維持する。
【００４９】
このように、パネル２１と連結体４１との回動を一箇所でも規制できれば、隣接する二枚のパネル１１、２１は回動不能に一体化する。そのためラッチ５１は、パネル２１上部のほか、隣接するパネル１１に組み込むこともできる。ただしラッチ５１を組み込むには、リンク６３などを周辺に配置する必要がある。
【００５０】
図６は、図５と同様、折戸の中央内部を示しているが、突入片５７は受入穴４７から引き抜かれている。この図では、主ワイヤ６１に張力が作用しており、リンク６３は、支点ピン３０を中心として持ち上げられ、ラッチ５１も連動して引き上げられている。そのため突入片５７は、受入穴４７から引き抜かれ、二枚のパネル１１、２１は自在に回動できる。なおこの際、スライダ５６と案内孔３４との間隔が狭くなり、弾性体６０は上下に圧縮される。
【００５１】
図７は、図６の右側のパネル１１を奥側に押し込み、二枚のパネル１１、２１が重なった状態で、ラッチ５１が組み込まれたパネル２１が手前側に位置している。図６の右側のパネル１１を奥側に押し込むと、この図のように、二枚のパネル１１、２１が重なり、折戸が全開した状態になる。パネル１１、２１の回動に伴い、パネル１１、２１と連結体４１、４３との位置関係も変化していき、この図では、パネル１１、２１の厚さ方向に連結体４１、４３が突出している。
【００５２】
二枚のパネル１１、２１が折れ曲がった後、主ワイヤ６１が緩み、弾性体６０の反力でラッチ５１が押し下げられた場合でも、突入片５７の下面と受入穴４７の上面との輪郭がずれるため、突入片５７が受入穴４７に嵌まり込むことはなく、双方が面接触する。この両面を摺動可能な状態に仕上げておくことで、双方が面接触した際も、連結体４１は、中心軸２５に対して自在に回動可能で、パネル１１、２１も自在に移動可能である。ただし二枚のパネル１１、２１がほぼ一直線に並ぶと、弾性体６０の反力で直ちに突入片５７が受入穴４７に嵌まり込み、パネル１１、２１の移動が不可能になる。
【００５３】
図８も、二枚のパネル１１、２１が重なった状態だが、図７とは逆に、右側のパネル１１を手前側に引き寄せており、ラッチ５１が組み込まれたパネル２１が奥側に位置している。このように、連結体４１、４３と歯車１８、２８で連結された二枚のパネル１１、２１は、互いに重なるまでの範囲で自在に回動できる。
【００５４】
図９は、図１で描いたノブ３２、３６周辺の詳細を示している。ノブ３２、３６は、パネル２１の表面と裏面の両方に取り付ける細長い棒状で、一端側には、パネル２１に取り付けるための丸孔７３と、半円状に突出した出鼻７２を設けてある。また他端側には、副ワイヤ６２、６６を差し込んである。
【００５５】
凹部３１、３５は、ノブ３２、３６全体をパネル２１に埋め込むため、表面および裏面をくり抜いたもので、ノブ３２、３６の背後に指を差し入れ可能な深さを確保してある。そのため凹部３１、３５は、パネル２１の表面と裏面で高さを変えて、反対面に貫通しないよう配慮してある。そのほか凹部３１、３５には、ノブ３２、３６の丸孔７３に差し込むシャフト３３を組み込んであり、その奥には、出鼻７２と接触する当接面３７を設けてある。なおノブ３２、３６や凹部３１、３５は、表裏面とも同一形状である。
【００５６】
丸孔７３にシャフト３３を差し込み、ノブ３２、３６をパネル２１に取り付けると、ノブ３２、３６は、副ワイヤ６２、６６でパネル２１に引き寄せられ、パネル２１にノブ３２、３６が埋め込まれる。この時、ノブ３２、３６は、パネル２１から遠ざかる方向にのみ変位できる。なお実際にノブ３２を手前側に引き寄せると、図下方の「ノブを取り付けた状態」のように、ノブ３２の右側がパネル２１から飛び出し、副ワイヤ６２が引き出される。引き続きノブ３２を引き寄せると、やがて出鼻７２が当接面３７に接触して、以降、ノブ３２を引き寄せる力は、パネル２１を移動させるために利用される。
【００５７】
図１０は、ノブ３２、３６と主ワイヤ６１との接続構造を示している。主ワイヤ６１は、図１などのように、ノブ３２、３６とラッチ５１を連動させる伝達手段としての機能を担う。ただし本発明では、ノブ３２、３６をパネル２１の表裏面両方に設けるため、単純にノブ３２、３６と主ワイヤ６１を接続することができない。そのため個々のノブ３２、３６の操作は、副ワイヤ６２、６６とブロック６９を介して、主ワイヤ６１に伝達する。
【００５８】
ブロック６９は単純な直方体で、パネル２１の内部に形成した四列の凸条３９により、直線状にのみ移動できる。また個々の副ワイヤ６２、６６は、スプリング７０を介してストッパ７１に固定されている。そしてストッパ７１をパネル２１に一体化すると、ノブ３２、３６を引き寄せることでスプリング７０が引張され、この反力でノブ３２、３６を元の状態に戻すことができる。
【００５９】
図１１は、図１の折戸を拡大して描いたもので、左右二枚のパネル１１、２１が一直線に並んでいる。二枚のパネル１１、２１は、枠体１０の中に収容されており、さらにパネル１１、２１の上には、直線状のガイド６４を配置してある。そして右側のパネル１１の上面から突出する支点１４は、ガイド６４に差し込まれており、右側のパネル１１は、支点１４を中心として回動できる。また左側のパネル２１の上面から突出する従動軸２４は、ガイド６４の中に差し込まれ、その長手方向にのみ移動できる。そのため支点１４と従動軸２４はガイド６４から離れることができず、二枚のパネル１１、２１が開閉する際は一定の軌跡を描き、パネル１１、２１の境界部分がガイド６４から最も突出する。
【００６０】
二枚のパネル１１、２１は、上下の連結体４１、４３を介して連結されており、また二枚のパネル１１、２１の境界には、噛み合いを維持する一対の歯車１８、２８を取り付けてある。さらに、左側のパネル２１の表裏面両方には、ノブ３２、３６を取り付けてある。通常、ノブ３２、３６は、パネル２１に埋め込まれた状態で、内部のラッチ５１は、連結体４１に嵌まり込んでいる。そのためパネル１１、２１は移動不能になっており、風圧などで自然に開くことはない。ただしノブ３２、３６に指を掛けて手前側に引き寄せると、ラッチ５１が連結体４１から引き抜かれて、二枚のパネル１１、２１が移動可能になり、引き続きノブ３２、３６を手前側に引き寄せることで、パネル１１、２１が手前側に突出して、折戸が開いていく。
【００６１】
図１２は、図１１の表面側のノブ３２を引き寄せて折戸を開いた状態である。二枚のパネル１１、２１は右下方向に突出して重なっており、ガイド６４の下に通路が確保される。このように折戸が開いた際は、図７のように、ラッチ５１が連結体４１に嵌まり込むことができず、二枚のパネル１１、２１は自在に移動できる。なお折戸を再び閉じる際は、ノブ３２を手前側に引き寄せて、二枚のパネル１１、２１を「く」の字状に開いた後、ノブ３２を押し込んでいく。そして二枚のパネル１１、２１が一直線に並ぶ直前、ラッチ５１が連結体４１に嵌まり込み、閉じた状態が維持される。
【００６２】
図１３は、図１２とは逆に、裏面側のノブ３６を引き寄せて折戸を開いた状態である。二枚のパネル１１、２１は左上方向に突出して重なっており、ガイド６４の下に通路が確保される。このように本発明では、パネル１１、２１の表面側と裏面側のいずれにおいても、折戸を開きたい場合、ノブ３２、３６を手前側に引き寄せて、パネル１１、２１を手前側に突出させる必要がある。そのため、折戸の反対側に別の人が居合わせた場合でも、パネル１１、２１がその人と接触することを防止でき、安全性に優れている。
【００６３】
図１４は、ラッチ５２の大半を連結体４２に埋め込み、パネル２１に受入穴２７を設けた構成を示す。ラッチ５２は、パネル２１と連結体４２を跨ぐように配置できればよく、この図のように、その大半を連結体４２に埋め込み、対するパネル２１に受入穴２７を設けてもよい。この連結体４２は、ラッチ５２を埋め込むために厚さを増大させて、さらにラッチ５２を収容する矩形断面の空洞４６を設けてある。なおスライダ５６は、空洞４６の中をガタ付くことなく摺動できる大きさとしてある。そのためラッチ５２は、上下のみ変位可能で、突入片５７を受入穴２７に嵌め込むことができる。
【００６４】
この図では、中心軸２５と連結体４２が非接触となる。ただし双方の間にはスライダ５６が介在しており、連結体４２は、中心軸２５を中心として円滑に回動できる。またラッチ５２の上部は、空洞４６から突出しており、パイプ５４は案内孔３４に差し込まれ、ツバ５８とリング５５は、案内孔３４よりも上に位置する。なお案内孔３４は、パイプ５４を回動自在に保持できる内径としてあり、連結体４２やラッチ５２は、パネル２１に対して自在に回動できる。
【００６５】
図１５は、図１４の各要素を組み上げた状態である。なお図の上方は、ラッチ５２が引き抜かれており、突入片５７が受入穴２７から離れている。そのため連結体４２は、中心軸２５を中心として、自在に回動できる。その際、ラッチ５２は連結体４２と一体で回動するが、案内孔３４はパイプ５４を拘束しないため、回動を阻害されることはない。
【００６６】
図の下方は、ラッチ５２が下降して、その突入片５７が受入穴２７に嵌まり込んだ状態で、ラッチ５２を介してパネル２１と連結体４２が一体化して、二枚のパネル１１、２１は一直線に並ぶ。なお図示を省略しているが、本来は図１などのように、接続ピン５９にはリンク６３を接続する。そのため接続ピン５９は、突入片５７などと一体で回動してはならず、接続ピン５９の根元のリング５５は、パイプ５４に対して回動自在である。
【００６７】
図１６は、図１３のように折戸が開いた後、徐々にパネル１１、２１を閉じていき、完全に閉じる直前の状態を示している。この際、図の手前側から折戸を完全に閉じるには、ノブ３２を手前側に引き寄せる。しかしノブ３２を引き寄せることで、必然的にラッチ５１が後退してしまう。そのため、二枚のパネル１１、２１が一直線に並んでも、ラッチ５１が連結体４１に嵌まり込むことはなく、やがてパネル１１、２１が反対側に突出する。その後、ノブ３２を押し込み、二枚のパネル１１、２１が一直線に並ぶと、ラッチ５１が正常に機能して、ようやくパネル１１、２１が静止する。このように、折戸を閉じる際の状況によっては、ノブ３２を引き寄せた後に押し込むことを要求され、操作が複雑化する。
【００６８】
図１７は、図１６で説明した事態を改善するためのもので、ノブ３２に副ラッチ７８を組み込み、単にノブ３２を手前側に引き寄せただけでは、副ワイヤ６２を引き出すことができない構成を示している。このノブ３２の中には、副ラッチ７８を収容するため、長手方向に延びる中溝７５を形成してある。また副ラッチ７８は細長い棒状で、中溝７５に沿って移動可能で、その右端をノブ３２から突出させる。さらにパネル２１の凹部３１には、ノブ３２から突出した副ラッチ７８を嵌め込むため、掛け穴３８を形成してある。そして、副ラッチ７８が掛け穴３８に嵌まり込むと、ノブ３２はパネル２１と一体化して、副ワイヤ６２を引き出すことができない。
【００６９】
副ラッチ７８の左端には、平面状の指当板７９を設けてある。指当板７９は、スリット７６を通過してノブ３２の側面に位置しており、人為的に副ラッチ７８を操作することができる。また中溝７５の左端には、押バネ７７を組み込んであり、常時、副ラッチ７８を右方向に押し出し、その先端をノブ３２の右端から突出させて、掛け穴３８に嵌め込む。折戸を開く際は、指当板７９を左方向に移動させ、副ラッチ７８を掛け穴３８から引き抜く。
【００７０】
副ラッチ７８の移動範囲は、スリット７６で規制されており、副ラッチ７８がノブ３２から離脱することはない。また副ラッチ７８の先端は半円形に形成してある。そのため、パネル２１から飛び出したノブ３２が元の状態に戻る際は、副ラッチ７８がパネル２１の表面に接触して左側に押し込まれ、その後、副ラッチ７８が掛け穴３８に到達すると、押バネ７７によって双方が自動的に嵌まり込む。
【００７１】
図１８は、図１７のノブ３２がパネル２１に組み込まれた状態である。通常は上方の図のように、ノブ３２がパネル２１に埋め込まれている。さらに副ラッチ７８は、掛け穴３８に嵌まり込んでおり、ノブ３２とパネル２１は一体化している。そのため単純にノブ３２を引き寄せただけでは、副ワイヤ６２が引張されることはない。仮に図１６の折戸にこのノブ３２を導入するならば、ノブ３２を手前側に引き寄せると直ちにラッチ５１が連結体４１に嵌まり込み、素早くパネル１１、２１を静止できる。
【００７２】
閉じた折戸を開く際は、下方の図のように、まず指当板７９を左方向に移動させて、副ラッチ７８を掛け穴３８から引き抜く。そうするとノブ３２が回動可能になり、ノブ３２がパネル２１から飛び出すと副ワイヤ６２が引張され、パネル２１は移動可能になる。なお副ラッチ７８は、これまでに示した構成に限定される訳ではなく、同等の機能を発揮できるならば、詳細は自在に決めてよい。
【符号の説明】
【００７３】
１０  枠体
１１  パネル（図の右側の方）
１２  側溝（下側）
１３  側溝（上側）
１４  支点
１５  中心軸
１８  歯車
１９  軸孔
２１  パネル（図の左側の方）
２２  側溝（下側）
２３  側溝（上側）
２４  従動軸
２５  中心軸
２６  案内壁
２７  受入穴
２８  歯車
２９  軸孔
３０  支点ピン
３１  凹部
３２  ノブ
３３  シャフト
３４  案内孔
３５  凹部
３６  ノブ
３７  当接面
３８  掛け穴
３９  凸条
４１  連結体（下側：受入穴あり）
４２  連結体（下側：ラッチを収容）
４３  連結体（上側）
４５  中孔
４６  空洞
４７  受入穴
５１  ラッチ（パネルの中に収容）
５２  ラッチ（連結体の中に収容）
５４  パイプ
５５  リング
５６  スライダ
５７  突入片
５８  ツバ
５９  接続ピン
６０  弾性体
６１  主ワイヤ（伝達手段）
６２  副ワイヤ
６３  リンク
６４  ガイド
６５  ナット
６６  副ワイヤ
６８  ビス
６９  ブロック
７０  スプリング
７１  ストッパ
７２  出鼻
７３  丸孔
７５  中溝
７６  スリット
７７  押バネ
７８  副ラッチ
７９  指当板
【図１】
2014105485.tif 000003
【図２】
2014105485.tif 000004
【図３】
2014105485.tif 000005
【図４】
2014105485.tif 000006
【図５】
2014105485.tif 000007
【図６】
2014105485.tif 000008
【図７】
2014105485.tif 000009
【図８】
2014105485.tif 000010
【図９】
2014105485.tif 000011
【図１０】
2014105485.tif 000012
【図１１】
2014105485.tif 000013
【図１２】
2014105485.tif 000014
【図１３】
2014105485.tif 000015
【図１４】
2014105485.tif 000016
【図１５】
2014105485.tif 000017
【図１６】
2014105485.tif 000018
【図１７】
2014105485.tif 000019
【図１８】
2014105485.tif 000020